【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
生産者の生産業務を事前選択した資格基準と比較するステップ；
生産業務の実施について生産者と契約するステップ；
生産業務を基準業務と比較するのに十分なプロトコルを選択するステップ；
プロトコルに応じて生産者に関する生産業務データを収集するステップ；
生産者により生産業務データを保証するステップ；
受け取った生産業務データが事前に選択したデータスタンダードに適合することを確認するステップ；
事前に選択した変換ファクターを用いて、生産業務データを環境データに変換するステップ；
環境データを有効な環境データに変更するステップ；及び
生産者以外により環境データ及び有効な環境データのうち少なくとも１つの権利を得るステップ；
を含む環境排出の処理方法。
【請求項２】
有効な環境データの少なくとも一部について生産者にクレジットを与えるステップをさらに含む、請求項１に記載の方法。
【請求項３】
環境データの前記一部について生産者に支払いを行うステップをさらに含む、請求項２に記載の方法
【請求項４】
その商業使用のために有効な環境データを登録するステップをさらに含む、請求項１に記載の方法。
【請求項５】
移転のために有効な環境データを排出削減単位に変換するステップをさらに含む、請求項１に記載の方法。
【請求項６】
排出削減単位を売るステップをさらに含む、請求項５に記載の方法。
【請求項７】
複数の排出削減単位のプールを設立するステップ、及び販売イベントの時点から生じる環境排出の少なくとも一部を削減するために販売イベントの時点の間プールにアクセスするステップをさらに含む、請求項６に記載の方法。
【請求項８】
販売イベントの時点が、航空券、ガソリンスタンドの燃料、暖房又は電気発生用の石炭、及び自動車の購入のうちの少なくとも１つを含んだグループから選択される、請求項７に記載の方法。
【請求項９】
制御エンティティの環境排出を相殺するために制御エンティティの複数の生産者から複数の排出削減単位を割り当てるステップをさらに含む、請求項５に記載の方法。
【請求項１０】
環境排出及び環境排出除去のうち少なくとも１つの生産者を選択することをさらに含む、請求項１に記載の方法。
【請求項１１】
前記生産者が、農業、林業、原油の二次回収、燃料生産、半導体製造、金属生産、石炭生産、深い地質隔離、廃棄物管理、及び廃棄物埋立ゴミ処理場のうちの少なくとも１つを含んだ生産者グループから選択される、請求項１０に記載の方法。
【請求項１２】
環境排出除去が、隔離(sequestration)、緩和(mitigation)、及び回避(avoidance)から成る業務グループから選択される、請求項１０に記載の方法。
【請求項１３】
前記生産者が複数の統治管轄区から複数の生産者を含む、請求項１に記載の方法。
【請求項１４】
前記プロトコルが、測定方法論についてのガイダンス、間接測定基準、モデリング、基準定義及び測定、二酸化炭素換算のＧＨＧ（ＣＯ２ｅ）の等価比較を可能にするＩＰＣＣ地球温暖化係数（ＧＷＰ）変換ファクター、並びに個々の温室効果ガスパフォーマンスファクターのうちの少なくとも１つを含む、請求項１に記載の方法。
【請求項１５】
前記プロトコルの選択ステップが、生産者工程に適切な複数のプロトコルを選択することを含む、請求項１に記載の方法。
【請求項１６】
前記生産業務データの収集ステップが、生産者に関して利用可能な外部の情報源データを収集することを含み、前記外部の情報源データは、現場物理的データ、作付けマップ、土壌マップ、分水界マップ、地形マップ、地理的参照データ、現場証明書データ、規定コンプライアンス、頭上写真、インフラ配置、寸法データ、及び商業パフォーマンス業務のうちの少なくとも１つを含む、請求項１に記載の方法。
【請求項１７】
前記生産業務データの収集ステップが、生産者に関する現場のデータを収集することを含む、請求項１に記載の方法。
【請求項１８】
前記現場のデータ収集ステップが、生産者により提供された現場のデータを収集すること、現場の収集のために査定チームを形成すること、現場のデータの収集を確認するために査定チームを形成すること、現地のデータを事前選択したテンプレートに入力すること、及び生産業務データをデータセンターに電子的に伝送することのうち少なくとも１つを含む、請求項１７に記載の方法。
【請求項１９】
前記テンプレートが、プロトコル、商業スタンダード、環境コンプライアンス、不適合、及びビジネスニーズに関連する問いのうち少なくとも１つを含む入力を備える、請求項１８に記載の方法。
【請求項２０】
前記テンプレートが、電子データ機器の少なくとも１つの一部を形成し、前記電子データ機器が、データ入力とその伝送を行う、請求項１８に記載の方法。
【請求項２１】
生産業務データを確認するステップが、生産業務データの完全性及び欠落の少なくとも１つを測定すること、並びに生産データを処理するためにデータ適格を検査することを含む、請求項１に記載の方法。
【請求項２２】
データ適格を検査するステップが、不適合業務を検査すること、生産者の契約期間を再調査すること、生産者の未決定の環境行動を再調査すること、データの収集により文書で証明された生産業務を基準業務と比較すること、及び生産業務データを第三者会計検査することのうち少なくとも１つを含む、請求項２１に記載の方法。
【請求項２３】
生産業務データに応じて生産業務を改善するために生産者にガイダンスを提供することをさらに含む、請求項１に記載の方法。
【請求項２４】
ガイダンスを提供するステップが、製品出力を体系的に平衡させること、肥料閉じ込め構造物をもっと頻繁に空にすること、及び連続した複数年の間無耕農業を実施することのうちの少なくとも１つを含む、請求項２３に記載の方法。
【請求項２５】
有効な環境データの第１部分を備蓄プールに割り当てるステップ、引渡しリスクを緩和するために備蓄プールの一部を委託するステップ、及び永久リスクを緩和するために備蓄プールの一部を委託するステップのうち少なくとも１つをさらに含む、請求項１に記載の方法。
【請求項２６】
備蓄プールの前記一部が、営利保険政策を支援するためにエスクロープール及びレバレッジド証書プールのうちの少なくとも１つを含む、請求項２５に記載の方法。
【請求項２７】
複数の生産者から生産業務データを集積するステップをさらに含む、請求項１に記載の方法。
【請求項２８】
前記複数の生産者が、少なくとも１つ共通の生産業務を含む、請求項２７に記載の方法。
【請求項２９】
前記登録ステップが、有効な環境データの商業適合性を検証するステップ、前記登録を記録するステップ、有効な環境データの所有権を指定するステップ、それに対する固有の識別子を割り当てるステップ、及びその取引を監視するステップのうちの少なくとも１つを含む、請求項１に記載の方法。
【請求項３０】
複数の排出削減単位の権利を期限内に移転する契約を結ぶステップをさらに含む、請求項１に記載の方法。
【請求項３１】
移転リスクを緩和するために備蓄プールの少なくとも一部を割り当てるステップ、移転リスクを緩和するために備蓄プールの少なくとも一部権利を譲渡するステップ、及び少なくとも一部の権利をエスクロー勘定に移転するステップのうちの少なくとも１つをさらに含む、請求項３０に記載の方法。
【請求項３２】
環境排出及び環境排出除去の少なくとも１つの生産者を選択するステップ；
生産者の生産業務を事前選択した資格基準と比較するステップ；
生産業務を基準業務と比較するのに十分なプロトコルを選択するステップ；
プロトコルに応じて生産者に関する生産業務データを収集するステップ；
受け取った生産業務データが事前選択したデータスタンダードに適合することを確認するステップ；
事前に選択した変換ファクターを用いて生産業務データを環境データに変換するステップ；及び
生産者以外により環境データの権利を得るステップ、
を含む環境排出の処理方法。
【請求項３３】
環境データを有効な環境データに変更するステップをさらに含む、請求項３２に記載の方法。
【請求項３４】
ガイダンスを提供するステップが、製品出力を体系的に平衡させること、肥料閉じ込め構造をもっと頻繁に空にすること、及び連続した複数年の間無耕農業を実施することのうち少なくとも１つを含む、請求項３３に記載の方法。
【請求項３５】
有効な環境データの第１部分を備蓄プールに割り当てること、引渡しリスクを緩和するために備蓄プールの一部を委託すること、及び永久リスクを緩和するために備蓄プールの一部を委託することのうちの少なくとも１つをさらに含む、請求項３２に記載の方法。
【請求項３６】
備蓄プールの前記一部が、営利保険政策を支援するためにエスクロープール及びレバレッジド証書プールの少なくとも１つを含む、請求項３５に記載の方法。
【請求項３７】
環境データの少なくとも一部について生産者にクレジットを与えるステップをさらに含む、請求項３２に記載の方法。
【請求項３８】
複数の排出削減単位のためのプールを設立すること、及び販売イベントの時点から生じる環境排出の少なくとも一部を削減するために販売イベントの時点の間前記プールにアクセスすることをさらに含む、請求項３２に記載の方法。
【請求項３９】
販売イベントの時点が、航空券、ガソリンスタンドの燃料、暖房又は電気発生用の石炭、及び自動車の購入のうちの少なくとも１つを含んだグループから選択される、請求項３８に記載の方法。
【請求項４０】
環境排出及び環境排出除去の少なくとも１つを生じる生産業務を選択するステップ；
生産業務を基準業務と比較するのに十分なプロトコルを選択するステップ；
プロトコルに応じて生産業務に関する生産業務データを収集するステップ；
事前に選択した変換ファクターを用いて生産業務データを環境データに変換するステップ；
環境データの少なくとも一部をその商業使用のために登録するステップ、
を含む環境排出の処理方法。
【請求項４１】
前記環境データを有効な環境データに変更するステップをさらに含む、請求項４０に記載の方法。
【請求項４２】
生産業務データをデータセンターに伝送すること；及び
生産業務データをデータセンターで受信すること
をさらに含む、請求項４０に記載の方法。
【請求項４３】
政府承認を識別すること、規制シールドを与えること、コンプライアンスを与える条件のソースを識別すること、及び環境除去のソースを識別することのうち少なくとも１つをさらに含む、請求項４０に記載の方法。
【請求項４４】
生産業務データに応じて生産業務を改善するためのガイダンスを生産者に提供するステップをさらに含む、請求項４０に記載の方法。
【請求項４５】
ガイダンスを提供するステップが、製品出力を体系的に平衡させること、肥料閉じ込め構造物をもっと頻繁に空にすること、及び連続した複数年の間無耕農業を実施することのうち少なくとも１つを含む、請求項４４に記載の方法。
【請求項４６】
環境データの第１部分を備蓄プールに割り当てること、引渡しリスクを緩和するために備蓄プールの一部を委託すること、及び永久リスクを緩和するために備蓄プールの一部を委託することのうち少なくとも１つをさらに含む、請求項４０に記載の方法。
【請求項４７】
備蓄プールの前記一部が、営利保険政策を支援するためにエスクロープール及びレバレッジ証書プールの少なくとも１つを含む、請求項４６に記載の方法。
【請求項４８】
前記登録ステップが、環境データの商業適合性を検証すること、前記登録を記録すること、環境データの所有権を指定すること、固有の識別子をそれに割り当てること、及びその取引を監視することのうち少なくとも１つを含む、請求項４０に記載の方法。
【請求項４９】
環境データを複数の排出削減単位に変換すること、及びその登録のために登録簿管轄区を選択することをさらに含む、請求項４０に記載の方法。
【請求項５０】
排出削減単位のプールを設立すること、及び販売イベントの時点から生じる環境排出の少なくとも一部を削減するために販売イベントの時点の間前記プールにアクセスすることをさらに含む、請求項４９に記載の方法。
【請求項５１】
環境排出の少なくとも一部を相殺するために排出削減単位の権利を移転することをさらに含む、請求項４９に記載の方法。
【請求項５２】
前記環境排出が、排出者、複数の排出者、及び様々な排出者の少なくとも１つから生じ、前記排出者が、直接排出者及び間接排出者の少なくとも１つである、請求項５１に記載の方法。
【請求項５３】
制御エンティティの環境排出を相殺するために制御エンティティの複数の生産者から複数の排出削減単位を割り当てることをさらに含む、請求項４９に記載の方法。
【請求項５４】
環境排出及び環境排出除去の少なくとも１つを生じる生産業務を有する複数の生産者を選択するステップ；
生産業務の各々を基準業務と比較するのに十分な少なくとも１つプロトコルを選択するステップ；
前記プロトコルに応じて生産業務に関する生産業務データを収集するステップ；
生産業務データが事前選択したデータスタンダードに適合することを確認するステップ；
事前に選択した変換ファクターを用いて生産業務データを環境データに変換するステップ；及び
有効な環境データをその商業使用のために登録するステップ、
を含む環境排出の処理方法。
【請求項５５】
会計検査の追跡及び査定進捗の再構成を可能にするためにＧＰＳを用いて査定チームの存在をトラッキングするステップをさらに含む、請求項５４に記載の方法。
【請求項５６】
有効な環境データの第１部分を備蓄プールに割り当てること、引渡しリスクを緩和するために備蓄プールの一部を委託すること、及びリスクを緩和するために備蓄プールの一部を委託することのうち少なくとも１つをさらに含む、請求項５４に記載の方法。
【請求項５７】
備蓄プールの前記一部が、営利保険政策を支援するためにエスクロープール及びレバレッジ証書プールの少なくとも１つを含む、請求項５６に記載の方法。
【請求項５８】
環境データのプールを設立すること、及び販売イベントの時点から生じる環境排出の少なくとも一部を削減するために販売イベントの時点の間前記プールにアクセスすることをさらに含む、請求項５４に記載の方法。